(57)【要約】      （修正有）【課題】押しボタンを押すだけで蓋が開けられると共に、収容されている眼鏡が上昇してきて眼鏡の取り出しが容易にできる眼鏡収納ケースを提供する。【解決手段】細長い筒状の眼鏡ケースであって、ケース本体１の上端付近の押しボタン４を押すと、ケース本体１と蓋２との連結部５の蓋アップバネにより蓋が上方に開くようにするとともに、ケース本体には、蓋に連動して上下する眼鏡を載置する眼鏡支持台３を設けてることによって、片手でのボタン操作だけで、眼鏡が眼鏡ケース本体の開口部より上昇するので、眼鏡が取り出しやすくなる蓋付きの眼鏡ケース。【選択図】図２
0003130245.tif 000002
【実用新案登録請求の範囲】
【請求項１】
ケース本体１と蓋２とケース本体１内に収納されている眼鏡支持台３とからなり、ケース本体１の上端付近には押しボタン４があり、ケース本体１と蓋２とは連結部５を介して連結し、該連結部５には蓋アップバネが設けられ、眼鏡支持台３は、眼鏡受け皿部と該眼鏡受け皿部に固定されたベルトとからなり、該ベルトの上端は蓋２の内側に固定されており、蓋２の開閉に伴って、眼鏡支持台３が上下することを特徴とする眼鏡ケース
【請求項２】
ケース本体１の内側で連結部５の下には、ベルトを通すための押さえ部がもうけられている請求項１の眼鏡ケース
【考案の詳細な説明】
【技術分野】
【０００１】
本考案は、眼鏡ケース、特にケース本体の押しボタンを押すと蓋が開くとともに収納されている眼鏡がケース本体内より引き上げられてあらわれる眼鏡ケースに関する。
【背景技術】
【０００２】
従来眼鏡ケースには、横長で眼鏡を収納する皿状の収納部の全面を蓋で覆い、ヒンジを介して蓋を連接して蓋を開け閉めする通常のケースや、蓋部分を外して眼鏡を取り出す筒型のタイプ、さらに筒状の収納部分に眼鏡を差込むようにしてテーブルなどに置くタイプのものがある。
【考案の開示】
【考案が解決しようとする課題】
【０００３】
これらの眼鏡ケースでは、片手でケースを開け閉めすることはできず、またテーブルなどに置くタイプのものでは、蓋がないのでこれを倒したりすると、中から眼鏡が飛び出して眼鏡を壊してしまうおそれがあった。
【０００４】
そこで、テーブルなどに置くこともでき、眼鏡を痛める可能性がより少ない蓋付きのコンパクトな眼鏡ケースであり、しかも片手で蓋が開け閉めでき、同時に眼鏡が取り出しやすい眼鏡ケースが望まれるところである。
【課題を解決するための手段】
【０００５】
そこで、本考案者は、係る課題を解決するために鋭意研究をしたところ、眼鏡を収納するケース内に眼鏡支持台を別途設け、ボタンを押すと蓋が開けられ、これと連動して眼鏡受け皿が下昇して眼鏡が眼鏡ケースから出てくる本考案に係る眼鏡ケースを開発することができた。
【０００６】
すなわち、本考案の第１は、ケース本体１と蓋２とケース本体１内に収納されている眼鏡支持台３とからなり、ケース本体１の上端付近には押しボタン４があり、ケース本体１と蓋２とは蓋アップバネが設けられている連結部５を介して連結し、眼鏡支持台３は、眼鏡受け皿部と該眼鏡受け皿部に固定されたベルトとからなり、該ベルトの上端は蓋２の内側に固定されており、蓋２の開閉に伴って、眼鏡支持台３が上下することを特徴とする眼鏡ケースである。
【０００７】
本考案の第２は、ケース本体１の内側で連結部の下には、ベルトを通すための押さえ部がもうけられている本考案第１の眼鏡ケースである。
【考案の効果】
【０００８】
本考案によれば、押しボタンを押すだけで蓋が開けられると共に収容されている眼鏡が上昇してきて眼鏡の取り出しが容易にできる眼鏡収納ケースを提供できる。
【考案を実施するための最良の形態】
【０００９】
細長い筒状の眼鏡ケースであって、ケース本体１と蓋２とケース本体１内に収納されている眼鏡支持台３とからなり、ケース本体１の上端付近には押しボタン４があり、ケース本体１と蓋２とは連結部５を介して連結し、該連結部には蓋アップバネが設けられ、眼鏡支持台３は、眼鏡受け皿部とそれに連続したアーム部とからなり、アーム部の上端には軟質プラスチック製のベルトが固定され、該ベルトはケース本体１の内側で連結部の下に設けられた押さえ部６、６内側を通って、蓋２の内側に固定されていおり、蓋２の開閉に伴って、上下することを特徴とする眼鏡ケースである。
【実施例１】
【００１０】
以下添付図面に従って、１実施例の眼鏡ケースについて説明する。
図１は、本考案に係る眼鏡収納ケースの斜視図であり、ケース本体１と蓋２は連結部５を介して連結され、蓋２は上下自在に回転して開け閉めできる。全体は、硬質のプラスチック製であるが、材料は特にこれに限定されない。
【００１１】
ケース本体１の外側、上端部には、押しボタン４が設けられている。図２及び３の断面図及び特に図６の拡大断面図に示す通り、押しボタン４は本体ケース１を貫通する支柱４ａを介してストッパー４ｂと連接され、ストッパー４ｂは支柱４ａを芯にしたコイルバネ４ｃにより常にケース本体１及び蓋２の内側に密接しており、ストッパー４ｂの上端には外側への突起部４ｄが蓋２の内側の片に係止されて蓋２は閉じた状態にある。
【００１２】
連結部５には、図７に示すとおりの蓋開き用のコイルバネ５ａが支持棒５ｂを介してケース本体１及び蓋２に固定されており（図８）、これによって蓋２は常に上方に上昇して開くことのできる状況にある。
【００１３】
ケース本体１には、眼鏡（図示せず）を乗せるための眼鏡受け皿部３１とこれに固定されているベルト３３とから構成されている眼鏡支持台３が収容されており、眼鏡受け皿部３１は眼鏡を載置する受け皿とこれに連続するアーム部３２とから成りる。これも硬質プラスチック製であるが、同等の素材であればよい。
なお、アーム部３２はこれを設けなくともよいが、ベルト３３を介して眼鏡受け皿部３１が上下する際には、眼鏡受け皿部３１が安定するので、アーム部３２を設けることが望ましい。
【００１４】
アーム部３２の先端には軟質プラスチック製のベルト３３が固定されており、このベルト３３は、ケース本体１の内側で連結部５の下に設けられているベルト押さえ部６、６の内側を通して、上端は蓋２の内側に固定されている。なおこのベルト３３は軟質プラスチック製に限るものではなく、これと同じような柔軟な素材であればよい。ベルト３３は、ベルト押さえ部６、６を通すことによって、眼鏡受け皿部３１をより安定的に上下することができる。
【００１５】
すなわち、図２に示すように蓋を閉めた状態では、眼鏡受け皿部３１はケース本体１内部の底に近いところにあるが、押しボタン３を押すとストッパー４の上端の突起部４ｄが後方に移動することによって蓋２の内側の片での係止が外れ、連結部５に設けられた蓋アップバネ５ａによって連結部を起点として蓋２は上方に回転するように開かれる。それと共に、眼鏡受け皿部３１は、ベルト３３を介して、蓋２と連動して上昇し、これに伴って眼鏡（図示せず）がケース本体１の開口部から表れて、眼鏡を容易に取り出すことができる。
【００１６】
蓋２を閉じれば、図２に示すようにり、常にボタン一つで蓋の開け閉めと眼鏡の取り出しと収納が容易にできることとなり、安全に眼鏡を眼鏡ケースに収納することができる。
【図面の簡単な説明】
【００１７】
【図１】本考案に係る眼鏡ケースの斜視図である。
【図２】図１における中央長手方向の断面図で、蓋２をしめた状態を示す。
【図３】同じく蓋を開けた状態を示す断面図である。
【図４】蓋を開けた状態を示す斜視図である。
【図５】眼鏡支持台の斜視図である。
【図６】押しボタン部分の長手方向の断面図である。
【図７】連結部の分解図である。
【図８】眼鏡ケースの背面図である。
【符号の説明】
【００１８】
１・・・本体ケース
２・・・蓋
３・・・眼鏡支持台
３１・・眼鏡受け皿部
３２・・アーム部
３３・・ベルト
４・・・押しボタン
５・・・連結部
【図１】
0003130245.tif 000003
【図２】
0003130245.tif 000004
【図３】
0003130245.tif 000005
【図４】
0003130245.tif 000006
【図５】
0003130245.tif 000007
【図６】
0003130245.tif 000008
【図７】
0003130245.tif 000009
【図８】
0003130245.tif 000010